(57)【要約】 【課題】  表面に立体的盛上がり装飾部分が形成された極めて興趣性に富んだユニークな絆創膏の提供を図ったものである。【解決手段】  所要長さを備えた粘着テープ１における粘着層の中央部にガーゼ３を配置し、当該粘着面に中央部切断重合剥離紙4,5を重合させて成る絆創膏であって、当該粘着テープ１の表面に対して、所要の図形・図柄からなる平坦印刷面7と、当該平坦印刷面の表面に、所要の図形・図柄からなる盛り上がりを形成するための盛り上がり印刷面８を形成した絆創膏。【選択図】  図４
0003128048.tif 000002
【実用新案登録請求の範囲】
【請求項１】
所要長さを備えた粘着テープ(１)の表面に、花模様、動物模様、幾何学模様、文字模様、連続模様、星形、ハート形のような所要の図形・図柄の模様を、立体的に盛上げた状態で盛上がり印刷部(８)を形成するように構成した絆創膏。
【請求項２】
所要長さを備えた粘着テープ(１)における粘着層(２)の面中央部にガーゼ(３)を配置し、当該粘着層(２)に中央部切断重合剥離紙(4,5)を重合させて成る絆創膏であって、当該粘着テープ(１)の表面に対して、所要の図形・図柄からなる平坦印刷面(7)と、当該平坦印刷面(7)の表面に、花模様、動物模様、幾何学模様、文字模様、連続模様、星形、ハート形のような所要の図形・図柄の模様を立体的に盛上げた盛り上がり印刷部(８)を形成した絆創膏。
【請求項３】
所要長さを備えた粘着テープ(１)における粘着層(２)の面中央部にガーゼを配置し、当該粘着面に中央部切断重合剥離紙を重合させて成る絆創膏であって、当該粘着テープ(１)の表面全体に対して箔押し層(６)を形成すると共に、当該箔押し層(６)の表面に、所要の図形・図柄からなる平坦印刷面(7)と、当該平坦印刷面(7)の表面に、花模様、動物模様、幾何学模様、文字模様、連続模様、星形、ハート形のような所要の図形・図柄の模様を立体的に盛り上げた盛り上がり印刷部(８)を形成した絆創膏。
【請求項４】
複数個の絆創膏を互いの側縁で連続させ、その連続線部分に切離用ミシン穴(９)を設けて成る請求項１乃至請求項３の何れかに記載の絆創膏。
【考案の詳細な説明】
【技術分野】
【０００１】
本考案は、表面に装飾面を形成した絆創膏に関するものである。
【背景技術】
【０００２】
従来、表面に装飾面を施した絆創膏としては、救急用絆創膏の外面に絵模様を施したもの（例えば、特許文献１参照。）、粘着テープに被覆ガーゼを貼り合せその表面にイラスト（絵柄）を設けたもの（例えば、特許文献２参照。）、粘着剤層とは反対側の面に種々の絵模様を印刷して施した絆創膏（例えば、特許文献３参照。）がある。
すなわち、従来に於いて、絆創膏の表面（外面）に適宜な模様または図形を印刷等の手段で表した、所謂平坦的装飾面を施した絆創膏は各種存在するが、当該装飾面に立体性を持たせた絆創膏はいまだ提供されていなかった。
そして、表面に立体性を持たせたものとしては、表面に無数の点状・線状・その他変形の突起物をつくつた裏全面接着剤のノンスリップテープというような「事務・傷併用テープ」が存在するが（例えば、特許文献４参照。）、これは単なる滑り止め目的の事務用としての使用に目的を達成するだけのものに過ぎず、装飾性という観点から形成したものでは全く無く、興趣性を醸し出すものでは決してなかった。
【０００３】
【特許文献１】実開昭５４−８２０７５号公報
【特許文献２】実用新案登録第３０２８１２５号公報
【特許文献３】実開昭４８−５５６９２号公報
【特許文献４】実開昭５９−９１８６９号公報
【考案の開示】
【考案が解決しようとする課題】
【０００４】
上述したような平面的装飾面を施した絆創膏の場合、その図柄等からは小児等に対して興味を与えることができても、所詮、平板的な単純絵模様であるため、大人を含めた多くの人々に対して興趣性を高揚させるという点では、今ひとつ欠けるきらいがあつた。  そして、表面に立体性を具えたものである上記「事務・傷併用テープ」の場合は、単純に機能性を追及したものに過ぎず、装飾性という観点からは程遠いものであり、別異の存在理由に基づくものである。
【０００５】
本考案は、表面に適宜な図形及び模様を施した平坦的印刷面（通常の印刷面）の表面に、立体的盛り上がり図形からなる装飾用盛り上がり印刷面を施し、両印刷面の相乗的効果に基づくユニークなデザイン性に富み興趣性が著しく高められた絆創膏の提供を図り、もって、状来の絆創膏が具えていない着用時の装飾性を高めた絆創膏という新規の製品の提供を図ったものである。  
【課題を解決するための手段】
【０００６】
本考案は請求項１に記載のように、所要長さを備えた粘着テープ１の表面に、花模様、動物模様、幾何学模様、文字模様、連続模様、星形、ハート形のような所要の図形・図柄の模様を、立体的に盛上げた状態で盛上がり印刷部８を形成するように構成した絆創膏に係る。
【０００７】
そして、請求項２に記載のように、所要長さを備えた粘着テープ１における粘着層２の面中央部にガーゼ３を配置し、当該粘着層２に中央部切断重合剥離紙4,5を重合させて成る絆創膏であって、当該粘着テープ１の表面に対して、所要の図形・図柄からなる平坦印刷面7と、当該平坦印刷面7の表面に、花模様、動物模様、幾何学模様、文字模様、連続模様、星形、ハート形のような所要の図形・図柄の模様を立体的に盛上げた盛り上がり印刷部８を形成するように構成して実施することができる。
【０００８】
更に、請求項３に記載のように、所要長さを備えた粘着テープ１における粘着層２の面中央部にガーゼを配置し、当該粘着面に中央部切断重合剥離紙を重合させて成る絆創膏であって、当該粘着テープ１の表面全体に対して箔押し層６を形成すると共に、当該箔押し層６の表面に、所要の図形・図柄からなる平坦印刷面7と、当該平坦印刷面7の表面に、花模様、動物模様、幾何学模様、文字模様、連続模様、星形、ハート形のような所要の図形・図柄の模様を立体的に盛上がるような盛り上がり印刷部８を形成するように構成して実施することができる。
【０００９】
また、本考案は請求項４に記載のように、複数個の絆創膏を互いの側縁で連続させ、その連続線部分に切離用ミシン穴９を設けて成る請求項１乃至請求項３の何れかに記載の絆創膏を実施の態様とするものである。
【考案の効果】
【００１０】
本考案に係る絆創膏は、請求項１に記載したような構成、すなわち、所要長さを備えた粘着テープ１の表面に、花模様、動物模様、幾何学模様、文字模様、連続模様のような所要の図形・図柄の模様を、立体的に盛上げた状態で盛上がり印刷部８を形成するように構成したから、表面に立体的に盛上げた状態で表される花模様、動物模様、幾何学模様、文字模様、連続模様、星形、ハート形のような所要の図形・図柄の模様の存在に基づき、通常その装着に基づき痛々しさを感じさせる絆創膏が、興趣性に富んだ一種のアクセサリー的効果を醸し出すこととなる。
そして、当該立体的盛り上がり模様の存在は、絆創膏の補強的効果を生じさせ、絆創膏に皺が生じたり、当該皺が患部に食込んでしまうような問題発生をよく回避することとなる。  更に、当該立体的盛り上がり模様の存在は、本考案に係る絆創膏を指先に装着した場合には、一種の滑り止め的効果も奏することとなり、そして、当該滑り止め的効果も事務的な単純な模様と異なり、図形等を模ったものであるから、装着に基づき無味乾燥的な感じが生じることなく、一種の遊び的効果を奏することとなる。
【００１１】
本考案に係る絆創膏は、請求項２に記載したような構成、すなわち、所要長さを備えた粘着テープ１における粘着層２の面中央部にガーゼ３を配置し、当該粘着層２に中央部切断重合剥離紙4,5を重合させて成る絆創膏であって、当該粘着テープ１の表面に対して、所要の図形・図柄からなる平坦印刷面7と、当該平坦印刷面7の表面に、花模様、動物模様、幾何学模様、文字模様、連続模様、星形、ハート形のような所要の図形・図柄の模様を立体的に盛上げた盛り上がり印刷部８を形成するように構成したから、前記した請求項１の場合と同様な作用効果を奏することとなる。
同時に、当該粘着テープ１の表面に対して、所要の図形・図柄からなる平坦印刷面7と、当該平坦印刷面7の表面に、花模様、動物模様、幾何学模様、文字模様、連続模様、星形、ハート形のような所要の図形・図柄の模様を立体的に盛上げた盛り上がり印刷部８との両者の混在に基づき、すなわち、二種類の印刷形態による重ね印刷に基づき、絆創膏の表面には複雑な装飾面が形成され、興趣性がより一層高められる。
そして、全体は通常の平坦印刷面７とし、当該平坦印刷面７の一部分、すなわち、局部的に盛り上がり印刷部８を形成することにより、盛り上がり部分を必要箇所にワンポイント的に形成することも出来、従って、盛り上がり印刷に要する印刷用部材の経済性を図ることができる。
【００１２】
本考案に係る絆創膏は、請求項３に記載したような構成、すなわち、所要長さを備えた粘着テープ１における粘着層２の面中央部にガーゼを配置し、当該粘着面に中央部切断重合剥離紙を重合させて成る絆創膏であって、当該粘着テープ１の表面全体に対して箔押し層６を形成すると共に、当該箔押し層６の表面に、所要の図形・図柄からなる平坦印刷面7と、当該平坦印刷面7の表面に、花模様、動物模様、幾何学模様、文字模様、連続模様、星形、ハート形のような所要の図形・図柄の模様を、立体的に盛り上げた盛り上がり印刷部８を形成するように構成したから、前記した請求項２の場合と同様な作用効果を奏することとなる。
同時に、粘着テープ１の表面全体に対して箔押し層６を形成するように構成したから、当該箔押し層６の存在は、粘着テープ１の伸び的変形の発生を阻止することとなる。従って、当該箔押し層６の表面に施される平坦印刷面７及び盛り上がり印刷部８の当該伸び的変形による歪み発生または剥落というような事態発生をよく阻止することとなる。
【００１３】
本考案に係る絆創膏は、請求項３に記載したような構成、すなわち、複数個の絆創膏を互いの側縁で連続させ、その連続線部分に切離用ミシン穴９を設けるように構成することにより、製造の合理化及びコストダウンが図られると同時に、使用者側に於いても保管管理の至便性が得られることとなる。
【考案を実施するための最良の形態】
【００１４】
図に於いて、１は下面に粘着層２を形成して成る粘着テープであって、当該粘着層２の中央部分には、患部を覆うためのガーゼ３が取付けてある。  そして、当該粘着層２はこれの左半部と右半部とを分割して覆いかつその重合中央部において互いに剥離可能とするように形成した剥離紙４，５が設けられている。  なお、このような構成は従来のこの種の絆創膏における基本的形態であり、公知技術に属するものである。
【００１５】
本考案は上述したように、所要長さを備えた粘着テープ１の粘着面中央部にガーゼ３を配置し、当該粘着面に対して中央部切断の重合剥離紙４，５を重合させて成る公知の絆創膏において、その粘着テープ１の表面に下記するような装飾を形成したことを特徴とするものである。
【００１６】
図４に於いて、６は上記粘着テープ１の表面全体に形成した箔押し層であって、その表面に平坦印刷面７（通常の印刷面）を形成するためのものである。  すなわち、当該平坦印刷面７は当該箔押し層６の表面に印刷することにより、粘着テープ１による伸び的変形が生じることが阻止され、良好なる印刷面となるように構成してある。
【００１７】
８は上記した平坦印刷面７の表面に部分的盛り上がりを生じさせるための盛り上がり印刷部であって、これは適宜図形模様を立体的に盛上がった状態で表示するためのものである。  そのために、当該盛り上がり印刷8は、適宜溶融合成樹脂等を盛り上げて付着させるような印刷法を用いるものであるが、このような印刷方法は既存の印刷法に属するものである。
【００１８】
そして、図示の実施例にあってはハート形及び果実の図形を盛上がり状態で表してあるが、これに限定されるものでは全く無く、花模様、動物模様、幾何学模様、文字模様、連続模様等適宜な図形・図柄のものであって可とする。
【００１９】
なお、図示の実施例にあっては、単体の絆創膏とした形態のものを表してあるが、既存の絆創膏のように互いの側縁で複数個連続させ、その連続線部分をミシン穴９で接離可能とするように構成してもよい。  本考案はこのような形態で実施する場合もある。
【００２０】
更に、本考案は貼着テープ１の下面にガーゼ３を設けない単なる絆創膏に対する実施も可能である。  そして、平坦印刷面７を省略して盛り上がり印刷8だけを形成するように構成して実施することも可能である。
【００２１】
本考案の使用は通常の絆創膏と同様に、中央部切断重合剥離紙４，５を剥離した状態で患部に貼着して使用に供するものである。  これにより患部は、立体模様を有するアクセサリー的効果を醸し出す絆創膏で覆われることとなる。
【図面の簡単な説明】
【００２２】
【図１】本考案の平面図である。
【図２】本考案の底面図である。
【図３】本考案の側面図である。
【図４】剥離紙を省略し状態にある本考案の要部を表した拡大断面図である。
【図５】複数単位連続状に形成して実施する場合の説明用略図である。
【符号の説明】
【００２３】
１  粘着テープ
２  粘着層
３  ガーゼ
4,5  剥離紙
６  箔押し層
７  平坦印刷面
８  盛り上がり印刷部  
９  ミシン穴
【図１】
0003128048.tif 000003
【図２】
0003128048.tif 000004
【図３】
0003128048.tif 000005
【図４】
0003128048.tif 000006
【図５】
0003128048.tif 000007